(57)【特許請求の範囲】
【請求項１】
前面が開口する空間状をなすものであって、冷気が供給される貯蔵室と、
前記貯蔵室の前面を閉鎖する閉鎖位置および前記貯蔵室の前面を開放する開放位置相互間で前後方向へ直線的に移動可能に設けられたドアと、
前記ドアに予め決められた非操作位置および当該非操作位置より後方の操作位置相互間で前後方向へ直線的に移動可能に設けられた操作子と、
前記ドアが前記閉鎖位置にあるか否かに応じて電気的な状態が相互に変化するドアスイッチと、
前記操作子が前記非操作位置にある場合および前記操作位置にある場合で電気的な状態が相互に変化する操作子スイッチと、
前記ドアが前記閉鎖位置に操作された状態で作動することに基づいて前記ドアを前記閉鎖位置から前方へ移動操作するものであって、電気的な駆動源を有するドア操作装置と、
前記ドアスイッチおよび前記操作子スイッチのそれぞれの電気的な状態に応じて前記ドア操作装置の駆動源を駆動制御する制御回路を備え、
前記制御回路は、
前記ドアスイッチの電気的な状態に基づいて前記ドアが前記閉鎖位置に保持されている閉鎖時間を前記ドアが前記閉鎖位置に戻されたことを基準に計測するものであって、
前記操作子スイッチの電気的な状態に基づいて前記操作子が操作されたことを判断した場合には前記閉鎖時間の計測結果が予め決められた値に到達していることを条件に前記ドア操作装置の駆動源に駆動電源を印加し、前記閉鎖時間の計測結果が予め決められた値に到達していないときには前記ドア操作装置の駆動源に駆動電源を印加しないことを特徴とする冷蔵庫。
【請求項２】
前記制御回路は、
前記ドア操作装置の駆動源に駆動電源を印加したときには前記ドアスイッチの電気的な状態に基づいて前記ドアが前記閉鎖位置に保持されているか否かを判断する処理を行い、
前記ドアが前記閉鎖位置に保持されていないことを判断したときには駆動電源の印加時間を計測する処理を行い、
前記印加時間の計測結果が予め決められた値に到達したことを判断したときには駆動電源を遮断する処理を行うことを特徴とする請求項１に記載の冷蔵庫。
【発明の詳細な説明】
【技術分野】
【０００１】
本発明は貯蔵室のドアを貯蔵室の前面を閉鎖する閉鎖位置から前方へ直線的に移動操作するドア操作装置を備えた冷蔵庫に関する。
【背景技術】
【０００２】
上記冷蔵庫にはドアが閉鎖位置に操作されている状態で操作子が操作されることに基づいてドア操作装置を作動させる構成のものがある。このドア操作装置は電磁ソレノイドを駆動源とするものであり、ドア操作装置が作動したときには電磁ソレノイドのプランジャがドアを後から前へ電磁力で押圧することに基づいて閉鎖位置から前方へ移動操作する。特願２００６−２８６３７０は背景技術が記載されたものである。
【特許文献１】特開２００６−３０８１６７号公報
【発明の開示】
【発明が解決しようとする課題】
【０００３】
上記冷蔵庫の場合には操作子がドアにドアと同一の前後方向へ直線的に移動可能に装着されているので、使用者がドアを閉鎖位置に戻すときに操作子を誤って押込み操作してしまう虞がある。この場合にはドアが閉鎖位置に到達するのと同時に操作子が操作されたことが検出されるので、ドアが閉鎖位置に到達した瞬間にドア操作装置が作動することに基づいて使用者に衝撃力が加わってしまう。
【０００４】
本発明は上記事情に鑑みてなされたものであり、その目的は、使用者がドアを閉鎖位置に戻すときに操作子を誤って操作した場合にドア操作装置が作動することを防止することができる冷蔵庫を提供することにある。
【課題を解決するための手段】
【０００５】
請求項１記載の冷蔵庫は、前面が開口する空間状をなすものであって冷気が供給される貯蔵室と、前記貯蔵室の前面を閉鎖する閉鎖位置および前記貯蔵室の前面を開放する開放位置相互間で前後方向へ直線的に移動可能に設けられたドアと、前記ドアに予め決められた非操作位置および当該非操作位置より後方の操作位置相互間で前後方向へ直線的に移動可能に設けられた操作子と、前記ドアが前記閉鎖位置にあるか否かに応じて電気的な状態が相互に変化するドアスイッチと、前記操作子が前記非操作位置にある場合および前記操作位置にある場合で電気的な状態が相互に変化する操作子スイッチと、前記ドアが前記閉鎖位置に操作された状態で作動することに基づいて前記ドアを前記閉鎖位置から前方へ移動操作するものであって電気的な駆動源を有するドア操作装置と、前記ドアスイッチおよび前記操作子スイッチのそれぞれの電気的な状態に応じて前記ドア操作装置の駆動源を駆動制御する制御回路を備え、前記制御回路は前記ドアスイッチの電気的な状態に基づいて前記ドアが前記閉鎖位置に保持されている閉鎖時間を前記ドアが前記閉鎖位置に戻されたことを基準に計測するものであって、前記操作子スイッチの電気的な状態に基づいて前記操作子が操作されたことを判断した場合には前記閉鎖時間の計測結果が予め決められた値に到達していることを条件に前記ドア操作装置の駆動源に駆動電源を印加し前記閉鎖時間の計測結果が予め決められた値に到達していないときには前記ドア操作装置の駆動源に駆動電源を印加しないところに特徴を有する。
【発明の効果】
【０００６】
使用者が操作子を非操作位置から後方の操作位置に操作したときには閉鎖時間の計測結果が予め決められた値と比較され、閉鎖時間の計測結果が予め決められた値に到達している場合にはドア操作装置が作動し、閉鎖時間の計測結果が予め決められた値に到達していない場合にはドア操作装置が作動しない。この閉鎖時間はドアが閉鎖位置に保持されている時間であり、ドアが閉鎖位置に戻されたことを基準に計測される。即ち、使用者がドアを閉鎖位置に戻すときに操作子を誤って押込み操作したときにはドアが閉鎖位置に到達するのと同時に操作子が操作位置に操作されていることが検出される。この場合には閉鎖時間の計測結果が予め決められた値に到達していないので、ドア操作装置が作動せず、使用者に衝撃力が不用意に加わってしまうことが防止される。
【発明を実施するための最良の形態】
【０００７】
［実施例１］
キャビネット１は、図１に示すように、外箱２と内箱３と断熱材４から構成されたものである。外箱２および内箱３のそれぞれは前面が開口する縦長な長方形状をなすものであり、底板と左側板と右側板と天板と後板を有している。この外箱２の底板〜後板のそれぞれは鋼板からなるものであり、内箱３の底板〜後板のそれぞれは合成樹脂からなるものであり、内箱３は両底板相互間〜両後板相互間のそれぞれに空間部が形成されるように外箱２の内部に収納されている。この外箱２の底板には、図２に示すように、両底板相互間の隙間を前方から塞ぐ底フランジ部５が曲折され、外箱２の左側板には両左側板相互間の隙間を前方から塞ぐ左フランジ部６が曲折され、外箱２の右側板には両右側板相互間の隙間を前方から塞ぐ右フランジ部７が曲折され、外箱２の天板には両天板相互間の隙間を前方から塞ぐ天フランジ部が曲折されており、断熱材４は両底板相互間の空間部〜両後板相互間の空間部のそれぞれに充填されている。
【０００８】
キャビネット１の内部には、図１に示すように、水平な断熱仕切壁８が固定されている。この断熱仕切壁８は中空状のケース内に発泡スチロール等の固形状の断熱材を収納することから構成されたものであり、キャビネット１の内部には断熱仕切壁８の上方に位置して冷蔵室９が形成されている。この冷蔵室９は前面が開口する空間部を称するものであり、キャビネット１には、図２に示すように、冷蔵室９の前方に位置して左ドア１０および右ドア１１のそれぞれが装着されている。左ドア１０は冷蔵室９の前面のうち左半部を閉鎖する閉鎖状態および左半部を開放する開放状態相互間で垂直な軸１２を中心に回動可能にされており、右ドア１１は冷蔵室９の前面のうち右半部を閉鎖する閉鎖状態および右半部を開放する開放状態相互間で垂直な軸１３を中心に回動可能にされている。
【０００９】
キャビネット１の内部には、図１に示すように、冷蔵室９内の後端部に位置して冷気ダクト１４が固定されている。この冷気ダクト１４は上下方向へ延びるものであり、冷気ダクト１４には下端部に位置して冷気入口が形成され、上端部に位置して冷気出口１５が形成されている。この冷気ダクト１４の内部にはファン装置１６が固定されている。このファン装置１６はファンモータの回転軸にファンを連結することから構成されたものであり、ファンモータの運転時には冷蔵室９内の空気が冷気ダクト１４の冷気入口から冷気ダクト１４内に吸引され、冷気ダクト１４内に沿って上昇した後に冷気出口１５から冷蔵室９内に吐出される。
【００１０】
キャビネット１には、図１に示すように、後端部に位置して機械室１７が形成されている。この機械室１７はキャビネット１の下端部に位置するものであり、機械室１７内には冷凍サイクルのコンプレッサ１８が収納されている。このコンプレッサ１８には冷蔵用エバポレータ１９が接続されており、冷蔵用エバポレータ１９にはコンプレッサ１８から冷媒が送られる。この冷蔵用エバポレータ１９は冷蔵室９の冷気ダクト１４内に収納されたものであり、冷気ダクト１４内を通過する空気を冷却することに基づいて冷蔵室９内に冷気を循環させ、冷蔵室９内を食品を冷蔵保存するための温度帯域にコントロールする。
【００１１】
キャビネット１の内部には、図１に示すように、断熱仕切壁８の下方に位置して冷凍室２０が形成されている。この冷凍室２０は前面が開口する空間部を称するものであり、キャビネット１には、図３に示すように、冷凍室２０の前端部に位置して鋼板製の前板２１が固定されている。この前板２１は左右方向へ延びる垂直な上座面２２および左右方向へ延びる垂直な下座面２３を有するものであり、冷凍室２０内は、図２に示すように、前板２１の下方の下冷凍室２４と前板２１の左上方の製氷室２５と前板２１の右上方の上冷凍室２６に区分けされている。この下冷凍室２４は貯蔵室に相当するものである。
【００１２】
前板２１の後面には、図３に示すように、左右方向へ延びる合成樹脂製の前枠２７が固定されている。この前枠２７は前面が開口する断面コ字状をなすものであり、前枠２７の前面は前板２１によって前方から閉鎖されている。この前枠２７の底板には左右方向へ延びる水平な板状のリブ２８が形成されている。このリブ２８には前方から前板２１を通して複数のネジ２９が螺合されており、前枠２７は複数のネジ２９の締結力で前板２１に接合されている。
【００１３】
キャビネット１には、図２に示すように、製氷室２５の前方に位置して左スライドドア３０が装着されている。この左スライドドア３０は製氷室２５の前面を閉鎖する閉鎖状態および製氷室２５の前面を開放する開放状態相互間で前後方向へ直線的に移動可能にされたものであり、左スライドドア３０には、図１に示すように、アイスボックス３１が支持されている。このアイスボックス３１は左スライドドア３０の閉鎖状態で製氷室２５内に収納され、左スライドドア３０の開放状態で製氷室２５内から前方に引出されるものであり、アイスボックス３１内には左スライドドア３０の閉鎖状態で製氷室２５内の製氷機から氷が自動的に投入される。
【００１４】
キャビネット１には、図２に示すように、上冷凍室２６の前方に位置して右スライドドア３２が装着されている。右スライドドア３２は上冷凍室２６の前面を閉鎖する閉鎖状態および上冷凍室２６の前面を開放する開放状態相互間で前後方向へ直線的に移動可能にされたものであり、右スライドドア３２には冷凍容器が支持されている。この冷凍容器は冷凍保存するための食品が投入されるものであり、右スライドドア３２の閉鎖状態で上冷凍室２６内に収納され、右スライドドア３２の開放状態で上冷凍室２６内から前方に引出される。
【００１５】
内箱３の左側板および右側板のそれぞれには、図４に示すように、下冷凍室２４内に位置して前後方向へ延びるレール３３が形成されている。これら両レール３３のそれぞれは下冷凍室２４の左右方向の中央部に向けて突出するものであり、両レール３３のそれぞれの上面は高さ寸法が一定な水平に設定されている。内箱３の左側板には左側板のレール３３に上方から隙間を介して対向する突状のガイド３４が形成され、内箱３の右側板には右側板のレール３３に上方から隙間を介して対向する突状のガイド３４が形成されている。この内箱３の右側板のレール３３およびガイド３４相互間の隙間には、図２に示すように、前後方向へ延びるアーム３５が挿入され、内箱３の左側板のレール３３およびガイド３４相互間の隙間には前後方向へ延びるアーム３５が挿入されており、両アーム３５のそれぞれの後端部にはローラが左右方向へ延びる軸を中心に回転可能に装着されている。これら両ローラのそれぞれは下方のレール３３の上面に載置されたものであり、両アーム３５のそれぞれはローラが転動することに基づいてレール３３の上面に沿って前後方向へ直線的に移動可能にされている。
【００１６】
両アーム３５のそれぞれの前端部には、図２に示すように、共通の下スライドドア３６が連結されている。この下スライドドア３６はドアに相当するものであり、両アーム３５は下スライドドア３６を介して相互に連結されている。この下スライドドア３６は横長な長方形状をなすものであり、両ローラのそれぞれがレール３５の上面に沿って転動することに基づいて開放位置および閉鎖位置相互間で前後方向へ直線的に移動可能にされている。この下スライドドア３６の開放位置とは前方の移動限度位置を称するものであり、閉鎖位置とは後方の移動限度位置を称する。
【００１７】
内箱３の後板には、図４に示すように、各組のレール３３およびガイド３４相互間の隙間に位置して電磁石３７が固定されており、両アーム３５のそれぞれの後端面には電磁石３７に前方から対向する垂直な磁性板が固定されている。これら両電磁石３７のそれぞれはコアにコイルを巻回してなるものであり、下スライドドア３６を前から後へ操作するときには両アーム３５のそれぞれの磁性板が電磁石３７の磁場内に進入することに基づいて両電磁石３７のそれぞれから磁性板に磁気吸引力が作用し、下スライドドア３６が磁気吸引力で閉鎖位置に引き込まれる。即ち、各組の磁性板および電磁石３７は下スライドドア３６を閉鎖位置に引込む引込み機構を構成するものである。
【００１８】
下スライドドア３６は、図３に示すように、中空状のドアケース３８内に発泡ウレタン等の断熱材３９を充填することから構成されたものであり、ドアケース３８はドア前板４０とドア後板４１と上キャップ４２と下キャップ４３（図２参照）を相互に接合することから構成されている。ドア前板４０は鋼板を曲折してなるものであり、上面と下面と後面のそれぞれが開口するコ字枠状をなしている。ドア後板４１と上キャップ４２と下キャップ４３のそれぞれは合成樹脂を材料に形成されたものであり、ドア前板４０の後面はドア後板４１によって閉鎖され、ドア前板４０およびドア後板４１相互間の隙間は、図２に示すように、上方から上キャップ４２によって閉鎖され、下方から下キャップ４３によって閉鎖されている。この下スライドドア３６のドア後板４１には、図５に示すように、溝部４４が形成されている。この溝部４４は後面が開口するものであり、下スライドドア３６を取囲むようにドア後板４１の外周部の全域に形成されている。
【００１９】
下スライドドア３６には、図５に示すように、ゴム製のパッキン４５が固定されている。このパッキン４５は下スライドドア３６を取囲む環状のパッキン本体４６および下スライドドア３６を取囲む環状の取付部４７を有するものであり、取付部４７をドア後板４１の溝部４４内に圧入することに基づいて下スライドドア３６に固定されている。このパッキン４５のパッキン本体４６は中空状をなすものであり、パッキン本体４６の内部には仕切壁４８が形成されている。この仕切壁４８はパッキン本体４６を外周側の外シール部４９および内周側の内シール部５０に仕切るものであり、下スライドドア３６が閉鎖位置に移動操作された状態では外シール部４９の上辺がドア後板４１および前枠２１の下座面２３相互間で弾性的に押し潰され、外シール部４９の左辺がドア後板４１および外箱２の左フランジ部６相互間で弾性的に押し潰され、外シール部４９の右辺がドア後板４１および外箱２の右フランジ部７相互間で弾性的に押し潰され、外シール部４９の下辺がドア後板４１および外箱２の底フランジ部５相互間で弾性的に押し潰されることに基づいて下冷凍室２４の前面が気密状態にシールされる。
【００２０】
パッキン４５の外シール部４９内には、図５に示すように、ロックマグネット５１が収納されている。このロックマグネット５１は下スライドドア３６を取囲む環状をなすものであり、下スライドドア３６は両電磁石３７のそれぞれの磁力に加えてロックマグネット５１が外箱２の底フランジ部５と外箱２の左フランジ部６と外箱２の右フランジ部７と前枠２１の下座面２３のそれぞれに磁力で吸着することに基づいて閉鎖位置に保持される。この下スライドドア３６のドア後板４１にはビード５２が形成されている。このビード５２はドア後板４１を取囲む環状をなすものであり、パッキン４５の内周部に配置されている。このビード５２はドア後板４１のうちビード５２を除く残りの後面より後方へ突出するものであり、下スライドドア３６が閉鎖位置に操作された状態でのパッキン４５の外シール部４９の圧潰量は外シール部４９および内シール部５０のそれぞれがビード５２の後面より後方へ突出するように設定されている。図５のΔＨは下スライドドア３６が閉鎖位置に操作された状態での外シール部４９および内シール部５０のそれぞれの突出量を示している。
【００２１】
下スライドドア３６の両アーム３５のそれぞれには、図１に示すように、共通の下冷凍容器５３が装着されている。この下冷凍容器５３は上面が開口するものであり、下冷凍容器５３内には上面を通して冷凍保存するための食品が出し入れされる。この下冷凍容器５３には上面が開口する中冷凍容器５４が装着され、中冷凍容器５４には上面が開口する上冷凍容器５５が装着されており、下スライドドア３６には両アーム３５を介して下冷凍容器５３と中冷凍容器５４と上冷凍容器５５が上下方向に３段に装着されている。これら下冷凍容器５３〜上冷凍容器５５のそれぞれは下スライドドア３６と一体的に移動するものであり、下スライドドア３６が閉鎖位置に操作されることに基づいて下冷凍室２４内に収納され、下スライドドア３６が開放位置に操作された状態では下冷凍室２４内から前方へ引出される。
【００２２】
キャビネット１の内部には、図１に示すように、冷凍室２４内の後端部に位置して後冷気ダクト５６が固定されている。この後冷気ダクト５６は上下方向へ延びる通路状をなすものであり、後冷気ダクト５６には下端部に位置して冷気入口５７が形成され、上端部に位置して冷気出口が形成されている。この後冷気ダクト５６内にはファン装置５８が固定されている。このファン装置５８はファンモータの回転軸にファンを連結してなるものであり、ファンモータの運転時には冷凍室２４内の空気が冷気入口５７から後冷気ダクト５６内に吸引され、後冷気ダクト５６内を上昇した後に冷気出口から吐出される。
【００２３】
キャビネット１の内部には、図１に示すように、後冷気ダクト５６の前方に位置して前冷気ダクト５９が固定されている。この前冷気ダクト５９は上下方向へ延びる通路状をなすものであり、前冷気ダクト５９の上端部は後冷気ダクト５６の上端部の冷気出口に接続されている。この前冷気ダクト５９には製氷室２５内に開口する製氷室出口６０と上冷凍室２６内に開口する上冷凍室出口と下冷凍容器５３に向けて開口する下冷凍容器出口６１と中冷凍容器５４に向けて開口する中冷凍容器出口６２と上冷凍容器５５に向けて開口する上冷凍容器出口６３が形成されており、後冷気ダクト５６の冷気出口から吐出された空気は前冷気ダクト５９内に進入した後に製氷室出口６０から製氷室２５内に吐出され、上冷凍室出口から上冷凍室２６内に吐出され、下冷凍容器出口６１から下冷凍容器５３に向けて吐出され、中冷凍容器出口６２から中冷凍容器５４に向けて吐出され、上冷凍容器出口６３から上冷凍容器５５に向けて吐出される。この上冷凍容器出口６３は後から前に向けて下降する四角筒状をなすものであり、上冷凍容器出口６３には、図４に示すように、水平な座面６４が形成されている。
【００２４】
冷凍室２４の後冷気ダクト５６内には、図１に示すように、冷凍サイクルの冷凍用エバポレータ６５が固定されている。この冷凍用エバポレータ６５は機械室１７内のコンプレッサ１８から冷媒が供給されるものであり、後冷気ダクト５６内を通過する空気を冷却することに基づいて製氷室２５内と上冷凍室２６内と下冷凍室２４内のそれぞれに冷気を循環させ、製氷室２５内〜下冷凍室２４内のそれぞれを食品を冷凍保存することが可能な温度帯域にコントロールする。
【００２５】
下スライドドア３６の上キャップ４２には、図３に示すように、前端部に位置して垂直な板状の手掛部６６が形成されている。この手掛部６６は、図２に示すように、上キャップ４２の左右方向の全域に形成されたものであり、下スライドドア３６のドア前板４０には手掛部６６の後方に位置して凹部４３が形成されている。この凹部４３はドア前板４０のうち凹部４３を除く残り部分に比べて後方に凹むものであり、ドア前板４０のうち左端部および右端部のそれぞれを除く残余部分に形成されている。この凹部４３は、図３に示すように、手掛部６６に下方から手指を引掛けるための空間部６７を形成するものであり、下スライドドア３６は下方から空間部６７を通して手掛部６６に手指を引掛けることで前から後へ操作可能にされている。
【００２６】
上キャップ４２には、図６に示すように、機構室６８が形成されている。この機構室６８は上面および後面のそれぞれが開口するものであり、機構室６８の底面は、図５に示すように、前半部が後半部に比べて低所に配置された段差状に設定されている。この機構室６８は下スライドドア３６の左右方向の中心線に対して左方に偏った部分に配置されたものであり、機構室６８内には、図７に示すように、永久磁石からなるドアマグネット６９が固定されている。このドアマグネット６９は機構室６８内の左後隅部に配置されたものであり、キャビネット１の前枠２７内にはドアマグネット６９の後方に位置してドアスイッチ７０が収納されている。このドアスイッチ７０は磁力で状態が切換えられるホールＩＣ等の近接スイッチからなるものであり、下スライドドア３６が閉鎖位置に操作された状態ではドアマグネット６９がドアスイッチ７０の検出領域内に進入することに基づいてドアスイッチ７０がオンされ、下スライドドア３６が閉鎖位置から前方のオフ位置に操作されたときにはドアマグネット６９がドアスイッチ７０の検出領域内から退避することに基づいてドアスイッチがオフされる。この下スライドドア３６のオフ位置は開放位置より後方に設定されたものであり、下スライドドア３６が閉鎖位置から前方へ操作されたときには下スライドドア３６が閉鎖位置から開放位置に到達するより前にドアスイッチ７０がオン状態からオフ状態に切換わる。
【００２７】
機構室６８内には、図７に示すように、左アーム７１が収納されている。この左アーム７１は左右方向へ延びるものであり、左アーム７１の左端部には上下方向へ延びる左軸７２が挿入されている。この左軸７２は機構室６８の底板に固定されたものであり、左アーム７１は機構室６８内に左軸７２を中心に回動可能に収納されている。この機構室６８内には右アーム７３が収納されている。この右アーム７３は左右方向へ延びるものであり、右アーム７３の右端部には上下方向へ延びる右軸７４が挿入されている。この右軸７４は機構室６８の底板に固定されたものであり、右アーム７３は機構室６８内に右軸７４を中心に回動可能に収納されている。この右アーム７３には上下方向へ延びる中軸７５が挿入されている。この中軸７５は左アーム７１の右端部に挿入されており、左アーム７１および右アーム７３は中軸７５を介して相互に回動可能に連結されている。これら左軸７２および右軸７４は左右方向へ延びる共通の直線上に配置されたものであり、左軸７２および中軸７５相互間の距離は右軸７４および中軸７５相互間の距離と同一に設定されている。これら左アーム７１および右アーム７３はリンク機構を構成するものであり、左アーム７１および右アーム７３のそれぞれはアームに相当する。
【００２８】
上キャップ４２には、図７に示すように、機構室６８の底板に位置して上方へ延びる心棒７６が固定されており、心棒７６の外周面にはリターンスプリング７７のコイル部が挿入されている。このリターンスプリング７７はトーションスプリングからなるものであり、コイル部と長尺なアーム部と短尺なアームを備えている。上キャップ４２には機構室６８の底板に位置して突状のスプリングストッパ７８が固定されており、リターンスプリング７７の短尺なアーム部はスプリングストッパ７８に接触している。このリターンスプリング７７の長尺なアーム部は右アーム７３の後面に接触しており、右アーム７３はリターンスプリング７７のバネ力で図７の反時計回り方向に直接的に付勢され、左アーム７１はリターンスプリング７７のバネ力で図７の時計回り方向に間接的に付勢されている。
【００２９】
上キャップ４２の機構室６８内には、図７に示すように、中軸７５の前方に位置して前アームストッパ７９が固定されている。この前アームストッパ７９は左アーム７１および右アーム７３のそれぞれに比べて軟質なゴムまたはシリコン等の緩衝材からなるものであり、左アーム７１および右アーム７３のそれぞれは右アーム７３がリターンスプリング７７の付勢力で前アームストッパ７９に接触することに基づいて相互に直線状となるオフ位置に保持されている。この右アーム７３には操作アーム８０が形成されている。この操作アーム８０は左アーム７１および右アーム７３のそれぞれがオフ位置に保持された状態で左アーム７１の後方に左アーム７１に対して平行に並ぶ部分を称するものであり、操作アーム８０には上方に突出する円柱状のピン８１が固定されている。
【００３０】
左アーム７１には、図７に示すように、左軸７２および中軸７５相互間に位置して左連結軸８２が回動可能に挿入され、右アーム７３には右軸７４および中軸７５相互間に位置して右連結軸８３が回動可能に挿入されている。これら左連結軸８２および右連結軸８３のそれぞれは上下方向へ延びる円柱状をなすものであり、左連結軸８２および中軸７５相互間の距離は右連結軸８３および中軸７５相互間の距離と同一に設定されている。この左連結軸８２には水平な左プレート８４の後端部が回動可能に連結され、右連結軸８３には水平な右プレート８５の後端部が回動可能に連結されており、左プレート８４の前端部および右プレート８５の前端部には共通の操作ボタン８６が接合されている。この操作ボタン８６は操作子に相当するものであり、操作ボタン８６に操作力が加えられていない非操作状態では、図５に示すように、操作ボタン８６がリターンスプリング７７のバネ力で手掛部６６の前面から前方へ突出する非操作位置に保持され、左アーム７１および右アーム７３のそれぞれがオフ位置に保持される。
【００３１】
上キャップ４２には、図７に示すように、機構室６８の底板に位置してゴムまたはシリコン等の緩衝材からなる後アームストッパ１０２が固定されている。この後アームストッパ１０２は機構室６８の底板から上方に突出する三角柱状をなすものであり、操作ボタン８６が非操作位置からリターンスプリング７７のバネ力に抗して後方に押込み操作されたときには、図８に示すように、左アーム７１が左軸７２を中心に反時計回り方向へ回動し、右アーム７３が右軸７４を中心に時計回り方向へ回動し、右アーム７３が後アームストッパ１０２に接触することに基づいて操作ボタン８６の押込み操作が停止する。この操作ボタン８６の押込み停止状態では左アーム７１および右アーム７３のそれぞれが相互に「く」字状となるオフ位置に移動する。即ち、操作ボタン８６は非操作位置および非操作位置より後方の操作位置相互間で前後方向へ直線的に移動可能にされたものである。
【００３２】
上キャップ４２には、図７に示すように、機構室６８の底板に位置して軸に相当する支持軸８７が形成されている。この支持軸８７は上下方向へ延びる円柱状をなすものであり、支持軸８７の外周面には水平な板状のマグネット台８８が回動可能に挿入されている。このマグネット台８８は磁石台に相当するものであり、マグネット台８８には円弧状のカム溝８９が形成されている。このカム溝８９は上面および下面のそれぞれが開口するものであり、カム溝８９内には右アーム７３のピン８１が挿入されている。このピン８１はマグネット台８８を回動操作するものであり、操作ボタン８６が非操作位置に保持された状態でカム溝８９の後端部に位置することに基づいてマグネット台８８を図７のオフ位置に保持する。この操作ボタン８６が図７の非操作位置から図８の操作位置に押込み操作されたときには、図８に示すように、ピン８１がカム溝８９に沿って後方へ移動することに基づいてマグネット台８８をオフ位置から反時計回り方向のオン位置に回動操作する。
【００３３】
マグネット台８８の上面には、図７に示すように、カム溝８９から離れた部分に位置して永久磁石からなる釦マグネット９０が固定されている。この釦マグネット９０は平面視が長方形状をなすものであり、長さ寸法が大きな長辺部９１および長辺部９１に比べて長さ寸法が小さな短辺部９２を有している。この釦マグネット９０には面取り部９３が形成されている。この面取り部９３は長辺部９１および短辺部９２が相互に交差する頂点を切り落とした面取り形状をなすものであり、釦マグネット９０は操作ボタン８６の非操作位置で面取り部９３が後方へ真直ぐに指向し且つ長辺部９１が右斜め後方へ指向する無効位置に保持される。この操作ボタン８６が非操作位置から操作位置に押込み操作されたときには、図８に示すように、マグネット台８８が支持軸８７を中心に反時計回り方向へ回動することに基づいて釦マグネット９０が支持軸８７を中心に円周方向へ移動し、面取り部９３が左斜め後方へ指向し且つ長辺部９１が後方へ真直ぐに指向する有効位置に移動する。図７の一点鎖線ＭＬは面取り部９３の右側の頂点の回動軌跡を示すものであり、釦マグネット９０は回動軌跡ＭＬの一部が下スライドドア３６の後面のうちビード５２を除く残り部分より後方へ突出するように配置されている。
【００３４】
前枠２７の内部には、図７に示すように、釦マグネット９０の後方に位置して釦スイッチ９４が固定されている。この釦スイッチ９４は磁力で状態が切換えられるホールＩＣ等の近接スイッチからなるものであり、操作ボタン８６が非操作位置に保持された釦マグネット９０の無効位置では釦マグネット９０の面取り部９３から釦スイッチ９４に向けて小さな磁力が作用し、操作ボタン８６が操作位置に押込み操作された釦マグネット９０の有効位置では、図８に示すように、釦マグネット９０の長辺部９１から釦スイッチ９４に向けて大きな磁力が作用する。この釦マグネット９０の無効位置では釦マグネット９０から釦スイッチ９４に作用する磁力の大きさが釦スイッチ９４の動作レベルに到達せず、釦スイッチ９４がオフ状態に保持される。この釦マグネット９０の有効位置では釦マグネット９０から釦スイッチ９４に作用する磁力の大きさが釦スイッチ９４の動作レベルを超え、釦スイッチ９４がオフ状態からオン状態に切換わる。即ち、釦スイッチ９４は操作ボタン８６の操作の有無を非接触で検出するものであり、操作子スイッチに相当する。
【００３５】
上キャップ４２には、図５に示すように、機構室カバー９５が着脱可能に装着されている。この機構室カバー９５は機構室６８の上面を塞ぐ天板９６および機構室６８の後面を塞ぐ後板９７を有するものであり、機構室カバー９５の後板９７の一部は下スライドドア３６のドア後板４１のうちビード５２を除く残り部分の後面より後方に突出し、釦マグネット９０の移動軌跡ＭＬがドア後板４１のうちビード５２を除く残り部分の後面より後方に突出することを許容している。この機構室カバー９５は機構室６８内のドアマグネット６９と左アーム７１と右アーム７３とリターンスプリング７７とマグネット台８８と釦マグネット９０のそれぞれを視覚的に認識不能に遮蔽するものであり、機構室カバー９５の天板９６は機構室カバー９５の上キャップ４２に対する接合力でマグネット台８８の支持軸８７に上方から接触し、マグネット台８８の支持軸８７は機構室カバー９５の天板９６を下方から支持している。
【００３６】
機構室カバー９５には、図５に示すように、天板９６の前端部に位置して左右方向へ直線的に延びる有底な溝状の樋９８が形成されている。この樋９８は機構室カバー９５の天板９６に落下した水を受けるものであり、機構室カバー９５の天板９６には樋９８から後に向けて上昇する傾斜面９９が形成されている。この樋９８の底面は左右方向の中心部から左および右のそれぞれに向けて下降する傾斜状に設定されており、樋９８内の水は樋９８の底面の傾斜に沿って左および右のいずれかに流れた後に樋９８の左端面および右端面のいずれかから下方へ落下する。
【００３７】
上キャップ４２には、図６に示すように、左排出樋１００および右排出樋１０１が形成されている。これら左排出樋１００および右排出樋１０１のそれぞれは前後方向へ延びる有底な溝状をなすものであり、前から後に向けて下降する傾斜状の底面を有している。左排出樋１００は樋９８の左端面から落下する水を受けるものであり、左排出樋１００内の水は左排出樋１００の底面に沿って前から後へ流れた後に左排出樋１００内から排出される。右排出樋１０１は樋９８の右端面から落下する水を受けるものであり、右排出樋１０１内の水は右排出樋１０１の底面に沿って前から後へ流れた後に右排出樋１０１内から排出される。即ち、樋９８と左排出樋１００と右排出樋１０１は機構室カバー９５から機構室６８内に水が進入することを防止するものである。
【００３８】
キャビネット１の内部には、図１に示すように、冷凍室２０内に位置してドア操作装置１１０が装着されている。このドア操作装置１１０は、図１０に示すように、ソレノイドコイル１２９およびプランジャ１３４からなる電磁ソレノイド２００を駆動源とするものであり、下スライドドア３６が閉鎖位置に保持された状態で作動することに基づいて下スライドドア３６を閉鎖位置から前方へ移動操作する。このドア操作装置１１０の詳細構成は次の通りである。
【００３９】
ソレノイドケース１１１は、図１０に示すように、上面が開口するものであり、前後方向へ延びる細長な形状に設定されている。このソレノイドケース１１１の後端部には水平な取付面１１２が形成されており、取付面１１２は、図４に示すように、上冷凍容器出口６３の水平な座面６４に面接触状態で載置されている。このソレノイドケース１１１は合成樹脂を材料とするものであり、ソレノイドケース１１１には、図１０に示すように、取付面１１２の後方に位置して傾斜面１１３が形成されている。この傾斜面１１３は前から後に向けて上昇するものであり、図４に示すように、上冷凍容器出口６３の表面に面接触状態で載置されている。
【００４０】
ソレノイドケース１１１の左側板および右側板のそれぞれは、図１０に示すように、ソレノイドケース１１１のうち前端部を除く残り部分に位置して形成されたものであり、ソレノイドケース１１１の左側部には左側板の非形成部分に相当する左逃げ部１１４が形成され、ソレノイドケース１１１の右側部には右側板の非形成部分に相当する右逃げ部１１５が形成されている。これら左逃げ部１１４および右逃げ部１１５のそれぞれはキャビネット１の前枠２７を逃げるためのものであり、ソレノイドケース１１１の前端部は、図４に示すように、キャビネット１の前枠２７を逃げるように下方から前枠２７にあてがわれている。このソレノイドケース１１１の底板には、図１０に示すように、左前端部および右前端部のそれぞれに位置してボス部１１６が形成されている。これら両ボス部１１６のそれぞれは上下面が開口する筒状をなすものであり、ソレノイドケース１１１の前端部は、図１１に示すように、下方から両ボス部１１６のそれぞれを通して前枠２７にネジを螺合することに基づいて前枠２７の下面に固定されている。このソレノイドケース１１１は下スライドドア３６の左右方向の中央部に配置されたものであり、ソレノイドケース１１１の前端部には、図１０に示すように、左右方向の全域に位置して円弧面部１１７が形成されている。この円弧面部１１７は使用者が下スライドドア３６を閉鎖位置に押込み操作しようとして下スライドドア３６およびソレノイドケース１１１の前端部相互間に手指を挟んだときに手指が傷つくことを防止するものであり、断面円弧状に設定されている。
【００４１】
ソレノイドケース１１１内には、図１２に示すように、ソレノイド室１１８が形成されている。このソレノイド室１１８は上面が開口する凹状をなすものであり、ソレノイド室１１８の前壁には上面が開口する凹部１１９が形成されている。この凹部１１９は内周面が円形状に設定されたものであり、凹部１１９の内周面には、図１０に示すように、ベロー固定具１２０が挿入されている。このベロー固定具１２０は前後方向へ延びる円筒状をなすものであり、ベロー固定具１２０の前端部には、図１２に示すように、後から前へ向けて直径寸法が小さくなる傾斜部１２１が形成されている。このベロー固定具１２０の後端部にはベロー固定具１２０に比べて大きな長方形状の後板１２２が固定され、ベロー固定具１２０の前端部にはベロー固定具１２０に比べて大きな長方形状の前板１２３が固定されている。
【００４２】
ソレノイドケース１１１には、図１２に示すように、ソレノイド室１１８内に位置して左プレート１２４および右プレート１２５が形成されている。これら左プレート１２４および右プレート１２５のそれぞれはソレノイド室１１８の前壁に後方から隙間を介して対向する垂直なものであり、ソレノイド室１１８の前壁および左プレート１２４相互間の隙間には上方からベロー固定具１２０の後板１２２が挿入されている。この後板１２２はソレノイド室１１８の前壁および右プレート１２５相互間の隙間にも上方から挿入されており、ベロー固定具１２０は後板１２２が左プレート１２４および右プレート１２５のそれぞれに接触することに基づいて後方へ位置ずれすることが防止され、後板１２２がソレノイド室１１８の前壁に接触することに基づいて前方へ位置ずれすることが防止され、後板１２２がソレノイド室１１８の底壁に接触することに基づいて円周方向へ位置ずれすることが防止されている。
【００４３】
ソレノイドケース１１１の底板には、図１２に示すように、ソレノイド室１１８内に位置して円筒状をなす複数のボス部１２６が形成されている。このソレノイド室１１８内には、図１０に示すように、コイルケース１２７が収納されている。このコイルケース１２７は上面および下面のそれぞれが開口する四角筒状をなすものであり、前板と後板と左側板と右側板を有している。このコイルケース１２７には、図１２に示すように、複数の取付部１２８が形成されている。これら複数の取付部１２８のそれぞれは円筒状をなすものであり、図１０に示すように、ボス部１２６の外周面に嵌合されている。これら複数のボス部１２６のそれぞれの内周面には上方からネジが螺合されており、コイルケース１２７は複数のネジの締結力でソレノイド室１１８内に固定されている。
【００４４】
コイルケース１２７の内部には、図１０に示すように、ソレノイドコイル１２９が固定されている。このソレノイドコイル１２９は前後方向へ延びる円筒状をなすものであり、ソレノイドコイル１２９の巻回始端部および巻回終端部のそれぞれには電源線１３０が接続されている。ソレノイドケース１１１には開口部１３１が形成されている。この開口部１３１はソレノイドケース１１１の左後隅部に配置されたものであり、両電源線１３０のそれぞれは開口部１３１を通してソレノイドケース１１１の外部に引出されている。
【００４５】
両電源線１３０のそれぞれには、図１２に示すように、ソレノイドケース１１１の外部に位置して共通のコネクタ１３２が接続されており、コネクタ１３２は対のコネクタを介して電源回路に接続されている。この電源回路はキャビネット１の機械室１７内に収納されたものであり、ソレノイドコイル１２９には電源回路から両電源線１３０を通して駆動電源が印加される。これら電源回路およびソレノイドコイル１２９相互間の給電路にはリレーの接点が介在されている。このリレーの接点はリレーコイルのオフ状態で給電路を開放する開放状態に保持される常開形のものであり、リレーコイルがオンされることに基づいて給電路を閉成する閉成状態に切換わる。即ち、ソレノイドコイル１２９にはリレーコイルのオン状態で電源回路から駆動電源が印加され、リレーコイルのオフ状態で駆動電源が遮断される。
【００４６】
コイルケース１２７の後板には、図１３に示すように、円形状の貫通孔１３３が形成されており、ソレノイドコイル１２９の内部には後方から貫通孔１３３を通して円柱状のプランジャ１３４が前後方向へ直線的に移動可能に挿入されている。このプランジャ１３４は鉄等の磁性材からなるものであり、下スライドドア３６の左右方向の中央部に配置されている。このプランジャ１３４の後端部にはプランジャ１３４に比べて直径寸法が大きな円環状の鍔部１３５が固定されており、ソレノイドケース１１１内には鍔部１３５の後方に位置してストッパ１３６が固定されている。
【００４７】
プランジャ１３４の外周面には、図１３に示すように、コイルケース１２７の後板および鍔部１３５相互間に位置してリターンスプリング１３７が挿入されている。このリターンスプリング１３７は圧縮コイルスプリングからなるものであり、ソレノイドコイル１２９の駆動電源が遮断されているときにはプランジャ１３４がリターンスプリング１３７のバネ力で後方へ操作されることに基づいて鍔部１３５がストッパ１３６に接触した後退位置に保持されている。このソレノイドコイル１２９に電源回路から駆動電源が印加されたときにはソレノイドコイル１２９からプランジャ１３４に磁気吸引力が作用することに基づいてプランジャ１３４がリターンスプリング１３７のバネ力に抗して後退位置から前方へ移動する。このプランジャ１３４の前進は、図１４に示すように、リターンスプリング１３７の線材相互間が接触することに基づいて前進位置で停止するものであり、ソレノイドコイル１２９の駆動電源が遮断されたときにはプランジャ１３４がリターンスプリング１３７のバネ力で線材相互間が接触した前進位置から後退位置に復帰する。
【００４８】
ソレノイドケース１１１には、図１３に示すように、合成樹脂製のソレノイドカバー１３８が固定されている。このソレノイドカバー１３８は、図１０に示すように、下面が開口する凹状のカバー本体１３９およびカバー本体１３９を取囲むフランジ１４０を有するものであり、カバー本体１３９にはベロー固定具１２０の外周面に面接触する半円形状の凹部１４１が形成され、フランジ１４０には複数の貫通孔１４２が形成されている。このフランジ１４０はソレノイド室１１８の室壁の上端面に載置されたものであり、ソレノイドカバー１３８は上方から複数の貫通孔１４２のそれぞれを通してソレノイド室１１８の室壁の上端面にネジを螺合することに基づいて接合されている。このソレノイドカバー１３８のフランジ１４０およびソレノイド室１１８の上端面相互間には、図１３に示すように、ＥＰＤＭ等のゴムからなるパッキン１４３が介在されている。このパッキン１４３はソレノイドカバー１３８のフランジ１４０およびソレノイド室１１８の室壁の上端面相互間で弾性的に挟持されたものであり、ソレノイドカバー１３８のフランジ１４０およびソレノイド室１１８の室壁の上端面相互間はパッキン１４３によって気密状態にシールされている。
【００４９】
プランジャ１３４の前端部には、図１３に示すように、前後方向へ延びるコネクタロッド１４４の後端部が固定されている。このコネクタロッド１４４はプランジャ１３４と同心な円柱状をなすものであり、コネクタロッド１４４の直径寸法はプランジャ１３４の直径寸法に比べて小さく設定されている。このコネクタロッド１４４の前端部はコイルケース１２７の前板を貫通してコイルケース１２７の前方に突出し、ベロー固定具１２０の内部を通してベロー固定具１２０の前方に突出している。このコネクタロッド１４４の外周面にはゴム製のベロー１４５が挿入されている。このベロー１４５は一端部から他端部に向けて直径寸法が大きくなる円筒状をなすものであり、ベロー１４５の他端部には、図１２に示すように、挟持部１４６が形成されている。この挟持部１４６は後から前に向けて直径寸法が小さくなる円筒状をなすものであり、ベロー固定具１２０の傾斜部１２１の外周面に圧入されている。このベロー固定具１２０の傾斜部１２１にはベロー１４５の挟持部１４６の上からベロー押え具１４７が嵌合されている。このベロー押え具１４７は後から前に向けて直径寸法が小さくなる円筒状をなすものであり、ベロー１４５の挟持部１４６はベロー固定具１２０の傾斜部１２１およびベロー押え具１４７相互間で挟持されることに基づいて固定され、ベロー１４５はベロー固定具１２０を介して円周方向に捩れることが防止されている。
【００５０】
ベロー１４５の一端部には、図１３に示すように、長方形状のロッドカバー１４８が形成されている。このロッドカバー１４８はベロー１４５の一端部を閉鎖するものであり、ベロー固定具１２０の内部空間はベロー１４５によって外部から冷気が浸入しないように気密状態にシールされ、ソレノイド室１１８の内部空間はソレノイドカバー１３８とパッキン１４３とベロー１４５の３者によって外部から冷気が浸入しないように気密状態に閉鎖されている。このロッドカバー１４８の内部には長方形状のヘッド部１４９が圧入されている。このヘッド部１４９はコネクタロッド１４４の前端部に形成されたものであり、コネクタロッド１４４の前端部はロッドカバー１４８およびヘッド部１４９相互間の密着力でベロー１４５の一端部に回り止め状態で連結され、コネクタロッド１４４はベロー１４５およびベロー固定具１２０のそれぞれを介して回り止めされている。
【００５１】
ベロー１４５は、図１３に示すように、プランジャ１３４が後退位置に保持された状態で一端部および他端部のそれぞれがベロー固定具１２０の前方に突出するように前後方向の途中部分で折返されたものであり、図１４に示すように、プランジャ１３４が前進することに応じて折返し部分が前方に移動するように弾性的に変形することでプランジャ１３４が後退位置から前進位置に移動することを許容し、プランジャ１３４が後退することに応じて折返し部分が後方に移動するように弾性的に変形することでプランジャ１３４が前進位置から後退位置に移動することを許容する。
【００５２】
ソレノイドケース１１１の底板には、図１２に示すように、左仕切板１５０および右仕切板１５１のそれぞれが形成されている。これら左仕切板１５０および右仕切板１５１のそれぞれは前後方向へ延びる垂直なものであり、左仕切板１５０の後端部および右仕切板１５１の後端部のそれぞれはソレノイド室１１８の前壁に接続され、左仕切板１５０の前端部および右仕切板１５１の前端部のそれぞれはソレノイドケース１１１の前板に接続されている。これら左仕切板１５０および右仕切板１５１は左右方向に相互に隙間を介して対向するものであり、左仕切板１５０および右仕切板１５１相互間には空間状のロッド収納室１５２が形成されている。
【００５３】
ソレノイドケース１１１のロッド収納室１５２内には、図１２に示すように、プッシュロッド１５３が収納されている。このプッシュロッド１５３は合成樹脂を材料に形成されたものであり、プッシャ１５４とアーム１５５とコネクタ１５６を有している。このコネクタ１５６は下面が閉鎖された縦長な四角筒状をなすものであり、コネクタ１５６には後壁に位置して上面が開口する溝部１５７が形成されている。この溝部１５７内には、図１３に示すように、上方からコネクタロッド１４４の前端部が挿入されており、コネクタロッド１４４はヘッド部１４９がベロー１４５のロッドカバー１４８と共にコネクタ１５６の内面に係合することに基づいてコネクタ１５６に連結されている。プッシャ１５４は、図１２に示すように、前後方向へ延びる中実な四角柱状をなすものであり、図１５に示すように、下スライドドア３６の左右方向の中央部に配置されている。このプッシャ１５４は、図１３に示すように、コネクタロッド１４４より低所に配置されたものであり、前枠２７の下面およびソレノイドケース１１１の底面相互間に介在されている。アーム１５５はコネクタ１５６およびプッシャ１５４を相互に連結するものであり、前後方向へ延びる水平な板状をなしている。
【００５４】
プッシャ１５４の前端部には、図１０に示すように、クッション１５８が固定されており、ソレノイドケース１１１にはクッション１５８の前方に位置して開口部１５９が形成されている。このクッション１５８はプッシャ１５４および下スライドドア３６のドア後板４１のそれぞれに比べて軟質なゴム等の緩衝材から構成されたものであり、ソレノイドコイル１２９のオフ状態ではクッション１５８の前端面がソレノイドケース１１１の前端面より後方に退避するようにプッシャ１３４が後退位置に保持される。このプッシャ１５４は、図１４に示すように、ソレノイドコイル１２９のオン状態でソレノイドケース１１１の開口部１５９を通してソレノイドケース１１１の前方に突出するものであり、下スライドドア３６の閉鎖状態でソレノイドコイル１２９がオンされたときには、図１５に示すように、プッシャ１５４がソレノイドケース１１１の前方に突出することに基づいて下スライドドア３６の左右方向の中央部を後から前に押圧する。このクッション１５８はプッシャ１５４が下スライドドア３６のドア後板４１に衝突するときの衝撃力を緩和するものであり、ロックマグネット５１および電磁石３７のそれぞれによる下スライドドア３６の吸着はプッシャ１５４の押圧力で解除され、下スライドドア３６はプッシャ１５４の押圧力で閉鎖位置から前方へ移動する。
【００５５】
プッシャ１５４は、図５に示すように、上半部がパッキン４５の内シール部５０に後方から対向するものであり、プッシャ１５４の後退位置は内シール部５０およびクッション１５８相互間に隙間が形成されるように設定されている。このプッシャ１５４の前端面にはパッキン押圧部１６０およびドア押圧部１６１が設定されている。パッキン押圧部１６０はクッション１５８を介してパッキン４５の内シール部５０に後方から対向する部分を称するものであり、ドア押圧部１６１はクッション１５８を介して下スライドドア３６のビード５２に後方から対向する部分を称するものであり、下スライドドア３６が閉鎖位置に操作された状態でソレノイドコイル１２９がオンされたときにはプランジャ１３４が後退位置から前進位置へ移動し、プランジャ１３４が後退位置から前進位置へ移動する移動力でプッシャ１５４が下スライドドア３６を押圧することに基づいて閉鎖位置から前方へ移動操作する。このプッシャ１５４の挙動は次の通りである。
【００５６】
ソレノイドコイル１２９がオンされたときには、図５に示すように、プッシャ１５４のドア押圧部１６１が下スライドドア３６のビード５２に接触する前にプッシャ１５４のパッキン押圧部１６０がクッション１５８を介してパッキン４５の内シール部５０を前方へ押圧することに基づいて弾性的に変形させる。この内シール部５０の弾性変形状態でプッシャ１５４のドア押圧部１６１がクッション１５８を介して下スライドドア３６のビード５２を前方へ押圧することに基づいて下スライドドア３６のロックマグネット５１を前板２１から剥離させ、下スライドドア３６の両磁性板のそれぞれを電磁石３７から剥離させ、図１６に示すように、下スライドドア３６を閉鎖位置から前方へ移動操作する。このプッシャ１５４のドア押圧部１６１が下スライドドア３６のビード５２にクッション１５８を介して接触した状態ではクッション１５８の上半部がドア後板４１に隙間を介して対向しており、プッシャ１５４のパッキン押圧部１６０はパッキン４５の内シール部５０を内シール部５０が完全に押し潰されないように押圧する。
【００５７】
ソレノイドケース１１１の左仕切板１５０には、図１２に示すように、左前ガイド１６２および左後ガイド１６３が形成され、ソレノイドケース１１１の右仕切板１５１には右前ガイド１６４および右後ガイド１６５が形成されている。これら左前ガイド１６２〜右後ガイド１６５のそれぞれはロッド収納室１５２内に突出するものであり、左前ガイド１６２〜右後ガイド１６５のそれぞれの下面およびロッド収納室１５２の底面相互間には隙間が形成されている。これら左前ガイド１６２および右前ガイド１６４はアーム１５５を挟んで左右方向に相互に対向するものであり、左後ガイド１６３および右後ガイド１６５はアーム１５５を挟んで左右方向に相互に対向するものであり、プランジャ１３４の前進時および後退時のそれぞれにはアーム１５５が左前ガイド１６２〜右後ガイド１６５の４部材によって案内されることに基づいて前後方向へ直線的に移動する。図１３はプランジャ１３４の後退位置を示すものであり、図１４はプランジャ１３４の前進位置を示すものであり、アーム１５５はプランジャ１３４の前進後退に拘らずソレノイドケース１１１内に収納され、左前ガイド１６２〜右後ガイド１６５のそれぞれはプッシャ１５４に接触することなくアーム１５５のみをガイドする。
【００５８】
ソレノイドケース１１１には、図３に示すように、ケースカバー１６６が被せられている。このケースカバー１６６は、図４に示すように、天板と左側板と右側板と前板を有するものであり、ソレノイドケース１１１の上面はケースカバー１６６によって閉鎖されている。このケースカバー１６６の左側板および右側板のそれぞれには、図１０に示すように、前後方向の中央部に位置して爪部１６７が形成されている。これら両爪部１６７のそれぞれはソレノイドケース１１１の左右方向の中央部に向けて突出するものであり、係合部１６８内に挿入されている。これら両係合部１６８のそれぞれはソレノイドケース１１１に形成されたものであり、下面が開口する凹状をなしている。これら両係合部１６８のそれぞれは天井面を有するものであり、両爪部１６７のそれぞれは係合部１６８の天井面に係合することに基づいてソレノイドカバー１６６がソレノイドケース１１１から脱落することを防止している。即ち、ソレノイドケース１１１の上面はキャビネット１の前枠２７およびケースカバー１６６の２部材によって閉鎖されている。
【００５９】
ケースカバー１６６の前端部には、図３に示すように、位置決め突部１６９が形成されている。この位置決め突部１６９はケースカバー１６６の天板から下方へ突出するものであり、左右方向へ延びる垂直な板状をなしている。この位置決め突部１６９は位置決め溝部１７０内に係合している。この位置決め溝部１７０はキャビネット１の前枠２７に形成されたものであり、ケースカバー１６６は位置決め突部１６９および位置決め溝部１７０相互間の係合力で前枠２７の目標位置に保持されている。
【００６０】
ソレノイドケース１１１には、図１１に示すように、ロッド収納室１５２の底板に位置して複数の左水抜き孔１７１および複数の右水抜き孔１７２が形成されている。これら複数の左水抜き孔１７１および複数の右水抜き孔１７２のそれぞれはロッド収納室１５２内で結露が発生したときにロッド収納室１５２内の結露水をソレノイドケース１１１の外部に排出するものであり、複数の左水抜き孔１７１のそれぞれは、図１２に示すように、左仕切板１５０を基点に右方へ直線的に延びるスリット状に設定され、複数の右水抜き孔１７２のそれぞれは右仕切板１５１を基点に左方へ直線的に延びるスリット状に設定されている。ドア操作装置１１０は以上のように構成されたものであり、次の手順でキャビネット１の内部に装着される。
【００６１】
ドア操作装置１１０をキャビネット１の内部に装着するには、図４に示すように、ソレノイドケース１１１の水平な取付面１１２を上冷凍容器出口６３の水平な座面６４上に載せ、ソレノイドケース１１１の傾斜面１１３を上冷凍容器出口６３の表面に押付ける。これら取付面１１２および傾斜面１１３のそれぞれを上冷凍容器出口６３に接触させた状態で下方からソレノイドケース１１１の両ボス部１１６のそれぞれを通して前枠２７にネジを螺合し、ソレノイドケース１１１をキャビネット１の内部に固定する。これら取付面１１２および傾斜面１１３のそれぞれが上冷凍容器出口６３に接触した状態ではソレノイドケース１１１がキャビネット１に対して前後方向に位置決めされており、ソレノイドケース１１１の両ボス部１１６内のそれぞれに挿入されたネジが前枠２７の目標位置に簡単に合致する。
【００６２】
ソレノイドケース１１１をキャビネット１の内部に固定したときにはソレノイドケース１１１の位置決め溝部１７０内に上方からケースカバー１６６の位置決め突部１６９を挿入し、ケースカバー１６６の後端部を位置決め突部１６９および位置決め溝部１７０相互間の係合状態で下方へ押込む。すると、ソレノイドケース１１１の左側板がケースカバー１６６の左側板の爪部１６７によって押圧されることに基づいて弾性的に変形し、ソレノイドケース１１１の右側板がケースカバー１６６の右側板の爪部１６７によって押圧されることに基づいて弾性的に変形し、ケースカバー１６６の両爪部１６７のそれぞれがソレノイドケース１１１の係合部１６８内に係合される。これら位置決め突部１６９および位置決め溝部１７０相互間の係合状態ではケースカバー１６６がソレノイドケース１１１に対して前後方向に位置決めされており、ケースカバー１６６の両爪部１６７のそれぞれがソレノイドケース１１１の係合部１６８に簡単に合致する。
【００６３】
機械室１７内には基板ボックスが固定されている。この基板ボックスはコントロール基板が収納されたものであり、コントロール基板には制御回路が搭載されている。この制御回路はマイクロコンピュータを主体に構成されたものであり、ＣＰＵとＲＯＭとＲＡＭを有している。この制御回路にはドアスイッチ７０および釦スイッチ９４のそれぞれが電気的に配線されており、制御回路はドアスイッチ７０からの出力信号に基づいて下スライドドア３６が閉鎖位置にあるか否かを判断し、釦スイッチ９４からの出力信号に基づいて操作ボタン８６が押込み操作されたか否かを判断する。この制御回路にはリレーコイルが接続されており、制御回路はリレーコイルをドアスイッチ７０および釦スイッチ９４のそれぞれの電気的な状態に応じて通断電することに基づいてリレーの接点を開閉操作し、ソレノイドコイル１２９をオンオフ制御する。
【００６４】
図１７は制御回路のＲＯＭに予め記録された制御プログラムを説明するためのフローチャートであり、以下、制御回路の処理内容を図１７の制御プログラムに基づいて説明する。制御回路のＣＰＵは電源が投入されたときにはステップＳ１でドアスイッチ７０がオンされているか否かを判断する。例えば下スライドドア３６が閉鎖位置に操作されている状態ではステップＳ１でドアスイッチ７０がオンされていることを判断し、ステップＳ２でタイマＴ１を「０」にリセットする。このタイマＴ１は下スライドドア３６が閉鎖位置に移動したことを基準とする経過時間を計測するものであり、ＣＰＵが予め決められた一定の時間間隔でタイマ割込み処理を起動し、タイマ割込み処理を起動する毎に予め決められた単位値ずつ加算する。
【００６５】
ＣＰＵはステップＳ２でタイマＴ１をリセットしたときにはステップＳ３へ移行し、ドアスイッチ７０がオフされているか否かを判断する。例えば使用者が操作ボタン８６を操作することなく下スライドドア３６を手動で閉鎖位置から手前側に操作したときにはドアスイッチ７０がオン状態からオフ状態に切換わる。この場合にはＣＰＵはステップＳ３でドアスイッチ７０がオフされていることを判断し、ステップＳ１に復帰する。この状態で下スライドドア３６が閉鎖位置に操作されたときにはドアスイッチ７０がオンされたことを判断し、スッテップＳ２でタイマＴ１を「０」にリセットする。
【００６６】
ＣＰＵは下スライドドア３６が閉鎖位置に操作された状態ではステップＳ３でドアスイッチ７０がオフされていないことを判断し、ステップＳ４で釦スイッチ９４がオンされたか否かを判断する。例えば下スライドドア３６が閉鎖位置に操作された状態で使用者が操作ボタン８６を押込み操作したときにはステップＳ４で釦スイッチ９４がオンされたことを判断し、ステップＳ５でタイマＴ１の加算結果を動作禁止時間Ｔｗ（例えば１．５秒）と比較する。この動作禁止時間Ｔｗは制御回路のＲＯＭに予め記録されたものであり、ＣＰＵはステップＳ５でタイマＴ１の加算結果が動作禁止時間Ｔｗに到達していないことを判断したときにはステップＳ３に復帰する。即ち、使用者が操作ボタン８６を押しながら下スライドドア３６を押込み操作することに基づいて閉鎖位置に戻したときにはタイマＴ１の加算結果が動作禁止時間Ｔｗに到達しないまま釦スイッチ９４がオンされる。この場合には釦スイッチ９４のオンが無効化され、ドア操作装置１１０が作動しない。
【００６７】
ＣＰＵはステップＳ５でタイマＴ１の加算結果が動作禁止時間Ｔｗに到達していることを判断すると、ステップＳ６でリレーコイルをオンすることに基づいてソレノイドコイル１２９を駆動開始し、ステップＳ７でタイマＴ３を「０」にリセットする。このタイマＴ３はソレノイドコイル１２９がオンされたことを基準とする経過時間を計測するものであり、ＣＰＵが予め決められた一定の時間間隔でタイマ割込み処理を起動し、タイマ割込み処理を起動する毎に予め決められた単位値ずつ加算する。
【００６８】
ＣＰＵはステップＳ７でタイマＴ３をリセットすると、ステップＳ８でドアスイッチ７０がオフされているか否かを判断する。例えば下スライドドア３６にプッシャ１５４の押圧力を上回る過大な負荷が作用していないときにはソレノイドコイル１２９が駆動開始されることに基づいて下スライドドア３６が閉鎖位置から前方へ移動する。この場合にはＣＰＵはステップＳ８でドアスイッチ７０がオフされていることを判断し、ステップＳ９へ移行する。
【００６９】
ＣＰＵはステップＳ８でドアスイッチ７０がオフされていないことを判断すると、ステップＳ１２でタイマＴ３の加算結果をＲＯＭに予め記録された待機限度時間Ｔｆと比較する。この待機限度時間Ｔｆはソレノイドコイル１２９が継続的に通電されることに基づいて異常昇温することを防止するための限界値であり、ＣＰＵはステップＳ１２でタイマＴ３の加算結果が待機限度時間Ｔｆに到達していないことを判断したときにはステップＳ８に復帰する。即ち、下スライドドア３６にプッシャ１５４の押圧力を上回る過大な負荷が作用しているときにはソレノイドコイル１２９が駆動開始されたにも拘らず下スライドドア３６が閉鎖位置から前方へ移動せず、ソレノイドコイル１２９が待機限度時間Ｔｆを限界に継続的に通電される。この待機限度時間Ｔｆが経過する前に下スライドドア３６から過大な負荷が除去されたときには下スライドドア３６がプッシャ１５４によって押圧され、閉鎖位置から前方へ移動する。この場合にはＣＰＵはステップＳ８でドアスイッチ７０がオフされていることを判断し、ステップＳ９へ移行する。
【００７０】
ＣＰＵは待機限度時間Ｔｆが経過しても下スライドドア３６が閉鎖位置から前方へ移動しなかったときにはステップＳ１２からステップＳ１１へ移行し、リレーコイルをオフすることに基づいてソレノイドコイル１２９を駆動停止する。
【００７１】
ＣＰＵはステップＳ９へ移行すると、タイマＴ２を「０」にリセットする。このタイマＴ２はドアスイッチ７０がオフされたことを基準とする経過時間を計測するものであり、ＣＰＵが予め決められた一定の時間間隔でタイマ割込み処理を起動し、タイマ割込み処理を起動する毎に予め決められた単位値ずつ加算する。
【００７２】
ＣＰＵはステップＳ９でタイマＴ２をリセットすると、ステップＳ１０でタイマＴ２の加算結果をＲＯＭに予め記録された通電時間Ｔｅ（＜Ｔｆ）と比較する。この通電時間Ｔｅはプランジャ１３４を後退位置から前進位置に移動操作するのに要するソレノイドコイル１２９の駆動時間に相当するものであり、ＣＰＵはステップＳ１０でタイマＴ２の加算結果が通電時間Ｔｅに到達していることを判断したときにはステップＳ１１へ移行し、リレーコイルをオフすることに基づいてソレノイドコイル１２９を駆動停止する。このソレノイドコイル１２９の駆動停止時には下スライドドア３６がプッシャ１５４によって押圧されることに基づいて閉鎖位置から前方に移動しており、使用者が下スライドドア３６の手掛部６６に手指を引掛けて下スライドドア３６を手前側に操作することで開放位置まで引出すことができる。
【００７３】
図１８は釦スイッチ９４のオンオフとソレノイドコイル１２９のオンオフとドアスイッチ７０のオンオフと下スライドドア３６の開閉の時間的な相関関係を示すものであり、下スライドドア３６が閉鎖位置に操作された状態で操作ボタン８６が押込み操作されることに基づいて釦スイッチ９４がオンされたときには釦スイッチ９４のオンに同期してソレノイドコイル１２９がオンされ、下スライドドア３６が閉鎖位置から前方へ移動したことをドアスイッチ７０がソレノイドコイル１２９のオンに時間的に遅れて検出する。
【００７４】
下スライドドア３６の開放状態で操作ボタン８６が操作されたときには釦マグネット９０から釦スイッチ９４の検出領域内に有効な磁力が作用しない。この場合には釦スイッチ９４がオンされないので、ソレノイドコイル１２９がオンされずにドア操作装置１１０が作動しない。この下スライドドア３６の押込み操作が操作ボタン８６の操作状態で行われたときにはドアスイッチ７０がオフ状態からオン状態に切換ることに同期して釦スイッチ９４のオンが検出される。この場合にはタイマＴ１の加算結果が動作禁止時間Ｔｗに到達していないので、ソレノイドコイル１２９がオンされずにドア操作装置１１０が作動しない。このタイマＴ１の加算結果が動作禁止時間Ｔｗに到達する前に操作ボタン８６が操作されることに基づいて釦スイッチ９４がオンされたときにもソレノイドコイル１２９がオンされずにドア操作装置１１０が作動せず、ソレノイドコイル１２９はタイマＴ１の加算結果が動作禁止時間Ｔｗに到達した状態で操作ボタン８６が操作されることに基づいてオンされる。
【００７５】
上記実施例１によれば次の効果を奏する。
使用者が操作ボタン８６を誤って押込み操作しながら下スライドドア３６を閉鎖位置に戻したときには下スライドドア３６が閉鎖位置に到達するのと同時に操作ボタン８６が操作位置に操作されていることが検出される。この場合にはタイマＴ１の計測結果が動作禁止時間Ｔｗに到達していないので、ソレノイドコイル１２９に駆動電源が印加されない。このため、ドア操作装置１１０が作動しないので、使用者にドア操作装置１１０のプッシャ１５４から衝撃力が不用意に加わってしまうことが防止される。
【００７６】
ソレノイドコイル１２９に駆動電源を印加したときには下スライドドア３６が閉鎖位置に保持されているか否かを判断し、下スライドドア３６が閉鎖位置に保持されていないことが判断されたときにはタイマＴ２をリセットし、タイマＴ２の計測結果が通電時間Ｔｅに到達したことが判断されたときにはソレノイドコイル１２９の駆動電源を遮断した。このため、下スライドドア３６に過大な負荷が作用することに基づいて下スライドドア３６が閉鎖位置から前方へ移動しない場合にはソレノイドコイル１２９が継続的に通電されるので、使用者が過大な負荷を除去するだけで下スライドドア３６が閉鎖位置から前方へ移動するようになる。従って、使用者が操作ボタン８６を再操作する手間が不要になるので、使い勝手が向上する。
【００７７】
上記実施例１においては、下スライドドア３６が前から後へ操作されるときに下スライドドア３６を機械的な力で閉鎖位置に引込む引込み機構を使用しても良い。この場合、下スライドドア３６の両アーム３５のそれぞれにピンを設け、下スライドドア３６が前から後へ操作されるときに両ピンのそれぞれを引込み部材に係合させ、引込み部材をスプリングのバネ力で操作することに基づいて下スライドドア３６を閉鎖位置に引込むと良い。
【００７８】
上記実施例１においては、ドア操作装置１１０の駆動源としてモータを用いても良い。
【図面の簡単な説明】
【００７９】
【図１】本発明の実施例１を示す図（冷蔵庫の内部構成を示す断面図）
【図２】冷蔵庫の外観を示す斜視図
【図３】ドア開放装置の装着状態を示す断面図
【図４】冷凍室を左スライドドアと右スライドドアと下スライドドアのそれぞれの取外し状態で示す斜視図
【図５】パッキンの変形状態を下スライドドアの閉鎖状態で示す断面図
【図６】機構室の内部を示す斜視図
【図７】機構室の内部を操作ボタンの非操作状態で示す図
【図８】機構室の内部を操作ボタンの操作状態で示す図
【図９】機構室カバーを装着状態で示す図
【図１０】ドア操作装置の外観を分解状態で示す斜視図
【図１１】ソレノイドケースの装着状態を示す斜視図
【図１２】ソレノイドおよびソレノイドケースのそれぞれの外観を示す斜視図
【図１３】ドア操作装置の内部構成をソレノイドコイルのオフ状態で示す断面図
【図１４】ドア操作装置の内部構成をソレノイドコイルのオン状態で示す断面図
【図１５】操作ボタンとプッシャと下スライドドア相互間の位置関係を示す断面図
【図１６】プッシャが下スライドドアを押圧する状態を示す断面図
【図１７】制御回路の処理内容を示すフローチャート
【図１８】釦スイッチのオンオフとソレノイドコイルのオンオフとドアスイッチのオンオフと下スライドドアの開閉の時間的な相関関係を示す図
【符号の説明】
【００８０】
２４は下冷凍室（貯蔵室）、３６は下スライドドア（ドア）、７０はドアスイッチ、８６は操作ボタン（操作子）、９４は釦スイッチ（操作子スイッチ）、１１０はドア操作装置、２００は電磁ソレノイド（駆動源）を示している。
【図１】
0004538030.tif 000002
【図２】
0004538030.tif 000003
【図３】
0004538030.tif 000004
【図４】
0004538030.tif 000005
【図５】
0004538030.tif 000006
【図６】
0004538030.tif 000007
【図７】
0004538030.tif 000008
【図８】
0004538030.tif 000009
【図９】
0004538030.tif 000010
【図１０】
0004538030.tif 000011
【図１１】
0004538030.tif 000012
【図１２】
0004538030.tif 000013
【図１３】
0004538030.tif 000014
【図１４】
0004538030.tif 000015
【図１５】
0004538030.tif 000016
【図１６】
0004538030.tif 000017
【図１７】
0004538030.tif 000018
【図１８】
0004538030.tif 000019